(57)【要約】【課題】本発明の課題は、単体で調湿と消臭が行え、また、繰り返しの使用を可能にし、また、外観を人形等の造形物に似せることでアクセサリとして使用者に心理的に廃棄することをためらわせる消臭調湿用物品を提供することにある。【解決手段】本発明は、木材の吸湿効果を有する調湿剤を収容する人形胴体１と、多孔質物質の吸着性を利用した消臭剤よりなる人形頭部２を組み合わせて人形の造形物である消臭調湿用物品３を構成したことを特徴とする。【選択図】      図１
2005131023.tif 000002
【特許請求の範囲】
【請求項１】
吸湿効果を有する調湿剤と、脱臭効果を有する消臭剤を含んで外観が所定形状の造形物を構成したことを特徴とする消臭調湿用物品。
【請求項２】
半永久的に使用可能な調湿剤と、多孔質物質の吸着性を利用した消臭剤を組み合わせて用いることを特徴とする請求項１に記載の消臭調湿用物品。
【請求項３】
調湿剤及び消臭剤として、使用による経時的な外観形状の変化がなく、繰り返し使用できる調湿剤及び消臭剤を用いることを特徴とする請求項１又は２に記載の消臭調湿用物品。
【請求項４】
造形物として、胴体に調湿剤もしくは消臭剤が含まれ、頭部に消臭剤もしくは調湿剤が含まれる人形よりなる造形物を用いることを特徴とする請求項１、２又は３に記載の消臭調湿用物品。
【発明の詳細な説明】
【技術分野】
【０００１】
本発明は、主に日常における雑貨の保管時や携帯時の調湿や消臭を行う調湿剤及び消臭剤を組み合わせて造形物を構成した消臭調湿用物品に関するものである。
【背景技術】
【０００２】
従来、日常において雑貨を調湿、消臭下で保存する場合、一般に使いきりタイプの調湿剤、又は再利用困難な調湿剤と消臭剤を併せて用いている。これらは使用に際して形状の変化を伴う場合がある。また、これらは通常、使用後に廃棄物となる。
【０００３】
従来の調湿剤や消臭剤は一般に使用後に廃棄されるので経済性が悪い。
また、従来品は保管時に調湿剤や消臭剤を設置し、使用後に生じる廃棄物を取り出すという手間を必要とする。
また、廃棄が前提とされている外観に使用者が好感を持ちがたい。
【０００４】
なお従来、木材の性質を利用して、吸湿の寿命が長い吸湿部剤がある（例えば、特許文献１参照。）。
【０００５】
また従来、液体中ならびに気体中に含まれる諸物質を吸着する多孔質物質として、製紙スラッジとその焼却残渣から得られる多孔質物質がある（例えば、特許文献２参照。）。
【０００６】
【特許文献１】特開２００２−２８３３０９号公報
【特許文献２】特開２００３−１４５０９２号公報
【発明の開示】
【発明が解決しようとする課題】
【０００７】
本発明は上記の事情に鑑みてなされたもので、半永久的に使用可能で使用に形状の変化が伴わない調湿剤にやはり形状の変化を伴わない消臭剤を組み合わせて造形物を形成することで単体で調湿と消臭が行え、また、繰り返しの使用を可能にし、また、外観を人形等の造形物に似せることでアクセサリとして鞄などに入れておくことが違和感無く、また使用者に心理的に廃棄することをためらわせる消臭調湿用物品を提供することを目的とする。
【課題を解決するための手段】
【０００８】
上記目的を達成するために本発明の消臭調湿用物品は、吸湿効果を有する調湿剤と、脱臭効果を有する消臭剤を含んで外観が所定形状の造形物を構成したことを特徴とするものである。
【０００９】
また本発明は、前記消臭調湿用物品において、半永久的に使用可能な調湿剤と、多孔質物質の吸着性を利用した消臭剤を組み合わせて用いることを特徴とするものである。
【００１０】
また本発明は、前記消臭調湿用物品において、調湿剤及び消臭剤として、使用による経時的な外観形状の変化がなく、繰り返し使用できる調湿剤及び消臭剤を用いることを特徴とするものである。
【００１１】
また本発明は、前記消臭調湿用物品において、造形物として、胴体に調湿剤もしくは消臭剤が含まれ、頭部に消臭剤もしくは調湿剤が含まれる人形よりなる造形物を用いることを特徴とするものである。
【発明の効果】
【００１２】
本発明は従来技術と比べて半永久的に使用できる調湿剤と消臭剤が一つになっており、人形等の造形物の形状をしていることから、調湿、脱臭が一度に行える効果、より簡易に行える効果、経済的な効果がある。
【発明を実施するための最良の形態】
【００１３】
以下図面を参照して本発明の実施の形態例を詳細に説明する。
図１は本発明の一実施形態例を示す斜視図である。図において、１は布製の人形胴体で、半永久的に使用できる吸湿効果を有する調湿剤が内包されている。２は多孔質物質の吸着性を利用した脱臭効果を有する消臭剤よりなる顔の形を模した人形頭部である。前記人形胴体１の上部には前記人形頭部２が組み合わされて一体に取り付けられ、こけし人形に似た造形物よりなる消臭調湿用物品３を構成している。前記消臭調湿用物品３はこのような構造になっているため、調湿と消臭が同時に行え、また、外観が所定形状の造形物となっているため、アクセサリとしても用いることができる。また、前記消臭調湿用物品３を構成する調湿剤及び消臭剤は、使用による経時的な外観形状の変化がなく、繰り返し使用することができる。尚、人形胴体に多孔質物質の吸着性を利用した消臭剤を設け、人形頭部に半永久的に使用できる吸湿効果を有する調湿剤を設けるようにしてもよい。
【００１４】
半永久的に使用できる調湿剤としては、例えば、ひば、檜、杉、ラワン、松等の木材を、年輪（導管）が表面になるようにして所定の形状に形成し、木材の性質を利用して、より吸湿効果を高めた高吸湿部剤（特開２００２−２８３３０９）等を用いることができる。
【００１５】
また、多孔質物質の吸着性を利用した消臭剤としては、例えば製紙過程で発生する製紙スラッジおよび製紙スラッジの焼却残渣から得られる多孔質物質（特開平２００３−１４５０９２）等の吸着性を利用した消臭剤を用いることができる。すなわち、製紙過程で発生した製紙スラッジ焼却残渣を塩酸もしくは硫酸によりｐＨを調整した弱酸性溶液の中で攪拌混合して、製紙スラッジの焼却残渣に含まれるカルシウムを溶出させ、ケイ素とアルミニウムを含有した固体とカルシウムを含んだ溶液に分離した後に、カルシウムを含んだ溶液を除去してケイ素とアルミニウムを含有した固体をアルカリ溶液中で加熱処理させることにより多孔質物質を製造する。
【００１６】
このような消臭調湿用物品３を用いることにより、その効果として、簡易に日用雑貨保管時の調湿、脱臭が行えるのみでなく、不使用時にも特に必要な場合を除いては消臭調湿用物品３を取り除くことなく使用しても不快感を与えない。また消臭調湿用物品３を繰り返し使用することで経済的である。このように従来の技術に比べて使用法、及び経済性の面で改善があった。
【００１７】
図２は本発明の使用例を示す斜視図である。図２中、図１と同一部分は同一符号を付してその説明を省略する。図において、４は鞄である。すなわち、調湿剤が内包された人形胴体１及び消臭剤よりなる人形頭部２よりなる消臭調湿用物品３を鞄４の中に収納して使用することにより、調湿や消臭を目的とした携帯しての利用ができる。
【００１８】
以上のように、前記消臭調湿用物品３は、半永久的に使用可能で、使用に形状の変化が伴わない調湿剤にやはり形状の変化を伴わない消臭剤を組み合わせことで単体で調湿と消臭が行え、また、繰り返しの使用を可能にしている。
【００１９】
また、日用雑貨等の保管時に使用した際に、人形などの造形物の形状をとることでアクセサリとしても使用できるので日用雑貨等を用いる際に消臭調湿用物品３を設置したまま使用できるので従来品より手間がかからない。また、使用者が好感を持ちやすい外観をとることで廃棄されにくくし、繰り返しの使用可能性を高めている。
【００２０】
前記消臭調湿用物品３は半永久的に使用できるため、使用後に廃棄する必要が無い。また、人形などの造形物の形状をとることでアクセサリとしての使用が可能であり、不使用時に取り除く必要性も無い。さらに使用者の心理的にも廃棄しづらい効果を持たせている。これにより使用が簡易で経済性が高く環境にやさしい消臭調湿用物品を実現することができる。
【００２１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。
【図面の簡単な説明】
【００２２】
【図１】本発明の一実施形態例を示す斜視図である。
【図２】本発明の使用例を示す斜視図である。
【符号の説明】
【００２３】
１    調湿剤が内包された人形胴体
２    消臭剤よりなる人形頭部
３    消臭調湿用物品
４    鞄
【図１】
2005131023.tif 000003
【図２】
2005131023.tif 000004